(57)【要約】【課題】可及的に廉価となり、錆や腐食の心配がなく、併せて横型ドレンキャップそれ自体でも自立可能となるようにする。【解決手段】前面の左右方向中央側２Ｂの少なくとも下部が前面側に張り出しているとともに、前後方向に貫通する雨水導入孔５が設けられていて、この中央部の前面側への張り出しによってそれ自体が自立可能な、塩化ビニル樹脂を素材にしてなるもので、いわば縦カバーのみによって横型ドレンキャップ１を構成した。【選択図】      図１
2007077569.tif 000002
【特許請求の範囲】
【請求項１】
前面の左右方向中央部の少なくとも下部が前面側に張り出しているとともに、前後方向に貫通する雨水導入孔が設けられていて、この中央部の前面側への張り出しによってそれ自体が自立可能な、合成樹脂を素材にしてなることを特徴とする直立式横型ドレンキャップ。
【請求項２】
上端から下端にいたるほぼ全域でその前後方向の肉厚をほぼ同じにし、上端側は横方向に直線上にあり、下端側は左右横方向で中央部が前面側に張り出しているとともに、前後方向に貫通する雨水導入孔が設けられていて、この中央部の前面側への張り出しによってそれ自体が自立可能な、合成樹脂を素材にしてなることを特徴とする直立式横型ドレンキャップ。
【請求項３】
背面壁は仮想鉛直平面上にあり、前面壁は左右両端から中央に向かって順次前方へ膨出して弧状に形成され、上面壁は背面上縁から前面壁の上縁に向かうに従って順次下位となる傾斜面に形成され、左右方向所定間隔をおいて前面側から背面側に貫通する複数の雨水導入孔が設けられていて、この中央部の前面側への張り出しによってそれ自体が自立可能な、合成樹脂を素材にしてなることを特徴とする直立式横型ドレンキャップ。
【請求項４】
背面壁は仮想鉛直平面上にあり、前面壁は左右方向の全長において前方へ膨出し、水平断面形状が実質的に矩形形状に形成され、左右方向所定間隔をおいて前面側から背面側に貫通する複数の雨水導入孔が設けられていて、この前面壁の左右方向の全長における前面側への張り出しによってそれ自体が自立可能な、合成樹脂を素材にしてなることを特徴とする直立式横型ドレンキャップ。
【請求項５】
合成樹脂には塩化ビニル樹脂が採用されている請求項１〜４に記載の直立式横型ドレンキャップ。
【請求項６】
キャップの背面側に両端側が横向きドレン孔の長手方向へ撓んで弾性力によりドレン管の内面に当接し得るようにした細長部材が設けられている請求項１〜５に記載の直立式横型ドレンキャップ。
【請求項７】
細長部材は二本から成り、片側の細長部材に他方の細長部材の横幅とほぼ等しい幅でこの他方の細長部材を嵌入できる凹部が形成され、この凹部に他方の細長部材を嵌入させて細長部材を十字状に取り付けるようにした請求項６記載の直立式横型ドレンキャップ。
【発明の詳細な説明】
【技術分野】
【０００１】
本発明は、横向きドレン孔に設置される横型ドレンキャップに関し、更に詳しくはそれ自体で直立可能な横型ドレンキャップに関する。
【背景技術】
【０００２】
ビルやマンションなどの建築物の屋上や各階のベランダなどに設けられている排水口で、縦型排水口を設置するのは困難である場合、雨水などを横方向から導入して横方向に排出する横型ドレンが設置される。
【特許文献１】特許公開２００１−３２９６６６号公報
【特許文献２】特開平１０−２３１５９２号公報
【特許文献３】特開平９−２７９７８０号公報
【特許文献４】特開平９−１７０３０９号公報
【特許文献５】特開平７−２４７５８４号公報
【特許文献６】特開平３−１７６５５０号公報
【特許文献７】実開昭６１−１３３６２９号公報
【特許文献８】実開昭６１−２０７２７号公報
【発明の開示】
【発明が解決しようとする課題】
【０００３】
このような従来の横型ドレンキャップは、基本的に縦向きカバーとその下端に一体又は一体的に連結された水平カバーを備えて側面形状がＬ字形を呈するか、このＬ字形の基材にほぼ四分の一円弧（特許文献８参照）の、或いは直線的に傾斜した（特許文献６参照）防塵キャップを備えるかのいずれかの形態が採用されている。また、特許文献には見あたらないが、ステンレス製の薄板からなる縦向きカバーのみの形態も存在している。
【０００４】
この種従来の横型ドレンキャップは、先ず第１に価格が高いこと、表面には塗装が施されているが、傷つきやすく、損傷した部位から早期に腐食が始まり、長年月の使用には耐えられない問題がある。また、水平カバーの存在意義が希薄で、単に製造、販売コストが割高になる要因を作っているように思われる。
【０００５】
本発明者は、この従来の横型ドレンキャップの問題点を解決して、可及的に廉価となり、併せて横型ドレンキャップそれ自体でも自立可能となる手段を種々模索していたところ、この技術的な課題を上手く解決する手段を開発したので、ここに提案する。
【０００６】
したがって、この発明の目的は、可及的に廉価となり、錆や腐食の心配がなく、併せて横型ドレンキャップそれ自体でも自立可能となるようにする点にある。
【課題を解決するための手段】
【０００７】
以上の技術的な課題を解決するために、本発明の請求項１に係る自立式横型ドレンキャップは、前面の左右方向中央部の少なくとも下部が前面側に張り出しているとともに、前後方向に貫通する雨水導入孔が設けられていて、この中央部の前面側への張り出しによってそれ自体が自立可能な、合成樹脂を素材にしてなるものである。
【０００８】
上記のような構成によれば、従来のような水平カバーを備えなくても、下部において左右横方向で、少なくとも中央部が前面側に張り出し、この中央側の前面側への張り出しによってそれ自体で自立可能となるので、いわば縦カバーのみによって横型ドレンキャップが構成される。また、下部において左右横方向で中央部が前面側に張り出している構成は、雨水を左右方向に分流させるように働き、キャップの前面に至った落葉、枯葉、更には小枝などのごみ類をこの分流水によって左右方向に運ぶような作用力を与え、前面に付着滞留することなく、左右への動きを与えるように働く。その結果、雨水はこれらごみ類に流れを妨げられるおそれが少なくなり、雨水導入孔へうまく導かれる。
【発明の効果】
【０００９】
したがって、この発明の請求項１に係る自立式横型ドレンキャップは以下の効果を奏する。
基本的に、従来の水平カバーを備える必要がなくなり、また、この水平カバーを備えなくても自立可能であるため、部品点数も少なくなり、廉価に製造、販売でき、併せて排水を何時も円滑に行える。また、錆や腐食の恐れが全くなくなり、長年月の使用にも十二分対応できる。
【００１０】
この発明の請求項２に係る自立式横型ドレンキャップは、上端から下端にいたるほぼ全域でその前後方向の肉厚をほぼ同じにし、上端側は横方向に直線上にあり、下端側は左右横方向で中央部が前面側に張り出しているとともに、前後方向に貫通する雨水導入孔が設けられていて、この中央部の前面側への張り出しによってそれ自体が自立可能な、合成樹脂を素材にしてなるものである。
【００１１】
上記のような構成によれば、請求項１と同様に、基本的に、従来の水平カバーを備える必要がなくなり、また、この水平カバーを備えなくても自立可能であるため、部品点数も少なくなり、廉価に製造、販売でき、併せて排水を何時も円滑に行える。また、錆や腐食の恐れが全くなくなり、長年月の使用にも十二分対応できる。しかも、上端から下端に至る全域で、その前後方向の肉厚が同一であるので、一層廉価に製造、販売でき、また軽量で、取り扱が大変楽になる。併せて前面の傾斜は雨水が前面に伝わり易いような流れをつくり、前面に付着しようとするごみ類をうまく浮かせるように働く。したがって、雨水がこれらごみ類に流れを妨げられるおそれを少なくし、雨水導入孔へうまく導く。
【００１２】
この発明の請求項３に係る自立式横型ドレンキャップは、背面壁は仮想鉛直平面上にあり、前面壁は左右両端から中央に向かって順次前方へ膨出して弧状に形成され、上面壁は背面上縁から前面壁の上縁に向かうに従って順次下位となる傾斜面に形成され、左右方向所定間隔をおいて前面側から背面側に貫通する複数の雨水導入孔が設けられていて、この中央部の前面側への張り出しによってそれ自体が自立可能な、合成樹脂を素材にしてなるものである。
【００１３】
上記のような構成によれば、請求項１、２と同様に、基本的に、従来の水平カバーを備える必要がなくなり、また、この水平カバーを備えなくても自立可能であるため、部品点数も少なくなり、廉価に製造、販売でき、併せて排水を何時も円滑に行える。また、錆や腐食の恐れが全くなくなり、長年月の使用にも十二分対応できる。しかも、上端から下端に至る全域で、その前後方向の肉厚が同一であるので、一層廉価に製造、販売でき、また軽量で、取り扱が大変楽になる。特に、上下方向のほぼ全長にわたって弧状に応じた前後にほぼ同じ幅の肉厚を持たせることによって、頑丈で一層長年月の使用に耐ええる上に、上面の傾斜は雨水が前面に伝わり易いような流れをつくり、前面に付着しようとするごみ類をうまく浮かせるように働く。したがって、雨水がこれらごみ類に流れを妨げられるおそれを少なくし、雨水導入孔へうまく導く。
【００１４】
以上の構成において、請求項４に記載のように、背面壁は仮想鉛直平面上にあり、前面壁は左右方向の全長において前方へ膨出し、水平断面形状が実質的に矩形形状に形成され、左右方向所定間隔をおいて前面側から背面側に貫通する複数の雨水導入孔が設けられていて、この前面壁の左右方向の全長における前面側への張り出しによってそれ自体が自立可能な、合成樹脂を素材にしてなるものである。
【００１５】
上記のような構成によれば、請求項１、２、３と同様に、基本的に、従来の水平カバーを備える必要がなくなり、また、この水平カバーを備えなくても自立可能であるため、部品点数も少なくなり、廉価に製造、販売でき、併せて排水を何時も円滑に行える。また、錆や腐食の恐れが全くなくなり、長年月の使用にも十二分対応できる。しかも、水平断面形状が実質的に矩形形状に形成され手いるので、その自立可能性を格段に高めることができ、安定した設置が可能になる。
【００１６】
また、請求項５に記載のように、この横型ドレンキャップの素材としては、塩化ビニル樹脂を用いるのが望ましい。
リサイクルの容易性、耐候性、強靭、高い耐塩害性能、耐腐食性など多くの特性を備え、しかもステンレスや鋳物などの金属製のものように腐食防止のための処理、その後のメンテナンスなどを全く不要とするために、格段に廉価に製造、販売でき、この種横型ドレンキャップには理想的な素材である。
【００１７】
更に、請求項６に記載のように、キャップの背面側に両端側が横向きドレン孔の長手方向へ撓んで弾性力によりドレン管の内面に当接し得るようにした細長部材が設けられるのが望ましい。
横向きドレン孔への装着ならびに離脱が、ビスなどを用いた取付手段に比べて大変簡便になり、併せてキャップの自立性が一層高まる上に、正しい設置位置をうまく確保できるからである。
【００１８】
また、請求項７に記載のように、細長部材は二本から成り、片側の細長部材に他方の細長部材の横幅とほぼ等しい幅でこの他方の細長部材を嵌入できる凹部が形成され、この凹部に他方の細長部材を嵌入させて細長部材を十字状に取り付けるようにするのが望ましい。
この細長部材の十字姿勢が、片方の細長部材に凹部を設けるだけの頗る簡単な構造で、しかも的確に確保できるからである。併せて、キャップの自立性がなお一層高まる上に、正しい設置位置を一層うまく確保できるからである。
【００１９】
なお、実施例に示すように、雨水導入孔の左右両側にある側壁は、下部において互いに横方向に伸びるステー部材が一体に連結されているのが望ましい。
言うまでもなく、流下する雨水の流れの応力を最も受け易い下部の補強ができ、丈夫で、長年月の使用に一層うまく対応できるからである。
【発明を実施するための最良の形態】
【００２０】
可及的に廉価となり、錆や腐食の心配がなく、併せて横型ドレンキャップそれ自体でも自立可能となるようにするという目的を、塩化ビニルを素材にして、底辺に前後方向の幅を持たせる形態とすることによって、水平カバーを省くことができる構成にして実現できるようにした。
【００２１】
（実施例１）
先ず、本発明に係る横型ドレンキャップを箱型の形態で実施した場合について、図１〜５を参照しながら以下具体的に説明する。
【００２２】
この横型ドレンキャップ１は、前面壁２と背面壁３と両者の上縁を互いに連結する上面壁４とから構成され、塩化ビニル樹脂を素材にして一体成形される。
【００２３】
前面壁２は、図１〜３に示すように、左右方向において、左右両端２Ａよりも中央側２Ｂで前方へ膨出した、上下全長わたって同一の半径を備えた円弧面に形成されている。ただし、この前面壁２の上部側２Ｃは、図１、４に示すように、上縁２Ｄから前方へ向かうにしたがって順次下位となるような傾斜した前記上面壁４に形成されている。前面壁２の上縁２Ｄは、この前面壁２の左右両端２Ａを直線状に結んだ仮想直線上にある。
【００２４】
また、この前面壁２には、左右方向で等間隔に、その前面側から背面側に貫通する雨水導水孔５が設けられている。この雨水導水孔５は上方へ至るにしたがって順次左右が近寄り、最終的には会合するように形成され、いわばモスクのペンデンティブ（ドームと支柱の間のアーチ型の部分）や中世のヨーロッパの城における窓に似た形状を呈している。また、この雨水導水孔５の左右の側壁５Ａは、図３に示すように、前面側から背面側に向かうにしたがって順次雨水導水孔５中央側へ張り出す傾斜面に形成されている。更に、この雨水導水孔５の上下高さは、この前面壁のほぼ８０〜９０パーセント高さ位置まで設けられている。更に、この雨水導水孔５の下方部分には、左右の側壁５Ａ間にわたって前面下部横ステー６が設けられていて、雨水導水孔５の左右に位置する支柱部分７（前面壁）の補強を司っている。
【００２５】
この前面壁２の背面側には、図２、３、４に示すように、その上縁２Ｄから鉛直に垂下した支え枠となる背面壁３が一体に連結されている。この背面壁３は、前記上面壁４の最下位部分４Ａとほぼ同等高さ位置まで存在しており、それより下の部位では、縦横十文字状のステー８が一体に設けられている。左右横方向の中間部に位置する縦ステー８Ａはその下端８Ａ１が前記前面壁２の下端２Ｅ、つまりは前記支え部７の下端と同等高さ位置にあるように寸法設定されている。したがって、中央側２Ｂで前方へ膨出した前記前面壁２とこの縦ステー８Ａとによって、この横型ドレンキャップ１は自立可能に構成されている。また、上下方向の中間に位置する横ステー８Ｂは前記縦ステー８Ａ、更には前記背面壁３と共に、この横型ドレンキャップ１の補強を司っている。
【００２６】
更に、前記縦ステー８Ａの長さ方向（図上、上下方向）に沿って所定間隔置きで、ボルト（小ねじ）９（図５参照）が嵌入されるボルト挿通穴１０が設けられている。このボルト９は、横型ドレンキャップ１をドレン管Ｄにセットする前は、ほぼ水平に延びるようにした、ステンレス製の弾力性のある細長部材１１を取り付け、固定するために設けられる。
【００２７】
本発明は、横型ドレンキャップ１そのものが自立性を備えた形状であるために、この細長部材１１を必ずしも必要としないが、これを併用することによって、そのドレン管Ｄに対する取り付け強度、信頼性を一層高く保障することになることは言うまでもない。
【００２８】
ドレン管Ｄは、図５に示すように、横向きで断面形状は中空矩形状であり、先端には、縦向きフランジＤ１と、この縦向きフランジＤ１の下端に接続されたベースプレートＤ２が設けられている。なお、本発明の横型ドレンキャップ１は、断面形状が中空円形状のドレン管Ｄに対しても十二分に適用できる。
【００２９】
次に、このように構成されたこの実施例１の横型ドレンキャップ１をドレン管Ｄへセットする手順並びにその作用を説明する。
先ず、この横型ドレンキャップ１をドレン管Ｄの先端に取り付けるには、図５に示すように、単に横型ドレンキャップ１の前面壁２の下端２Ｅ並びに背面壁３（縦ステー８）の下端８Ａ１をベースプレートＤ２の上面に当接させるとともに、背面壁３を縦向きフランジＤ１に当接させることで、その取り付けは完了する。
【００３０】
この構造によると、横型ドレンキャップ１の上縁２Ｄに降り注ぐ雨水は、上面壁４の傾斜によって、この上面壁４に沿って滑らかに前面壁２へと流下する。その後、前面壁２に沿ってスムーズに下端側へと流下する。したがって、雨水が前面に伝わり易いような流れをつくり、前面に付着しようとするごみ類と前面との間に流れ込み、ごみ類をうまく浮かせるように働く。したがって、雨水がこれらごみ類に流れを妨げられるおそれを少なくし、雨水導入孔へ雨水をうまく導くことができる。
【００３１】
本発明の横型ドレンキャップ１は、基本的には従来型の横型ドレンキャップの縦向き部材のみで形成されているが、言わば雨水導水孔５を備える箱型にすることで、前後方向に幅を有する縦向き部材としたものであるから、それ自体で自立可能となり、単にドレン管Ｄの先端に置くだけで、横型ドレンキャップとしての本来の目的をうまく達成できる。
【００３２】
また、前記細長部材１１を併用するには、図９を参照して説明すると、先ず、ボルト９をこの細長部材１１の中間に設けられたボルト挿通孔１４に通し、更にこのボルト９の先端を前記ステー８の縦ステー８Ａに設けたボルト挿通穴１０に挿通し、ナット１３に螺合させ、このボルト９とナット１３を介して、この細長部材１１をこの縦ステー８Ａに水平になるように取り付ける。次いで、図５に示すように、この細長部材１１の、両端間の間隔がドレン管Ｄの内幅よりも狭くなるようにしながらがドレン管Ｄの内側面Ｄ３とほぼ平行になるように撓ませて、ドレン管Ｄ内へ挿入し、横型ドレンキャップ１の前面壁２並びに背面壁３の下端をベースプレートＤ２の上面に当接させるとともに、背面壁３を縦向きフランジＤ１に当接させる。細長部材１１は弾力性があるため、ドレン管Ｄ内で広がり、両端側は、ドレン管Ｄの左右の内側面Ｄ３に当接するために、横型ドレンキャップ１はドレン管Ｄの先端により一層確実、かつ安定的に保持され、多少の外力が負荷されても簡単にドレン管Ｄから離脱するおそれを可及的に少なくできる点で有利である。
なお、本実施例１のように、細長部材１１を一本のみ採用する場合は、図９に示される凹部１２は備えた細長部材を用いる必要は無く、ストレートな細長部材を採用することができることは言うまでもない。
【００３３】
（実施例２）
次に、同じく箱型にした実施例の変形例を図６の記載を参照しながら説明する。
この実施例２では、上記実施例１に示された構造の傾斜する上面壁４を敢えて採用しない構造になっている。つまりは、前面壁２がその上縁２Ｄから下端２Ｅにいたる全長にわたって、下端２Ｅ側ほど順次前方へ膨出するように、全体を湾曲させて形成した点に特徴がある。
なお、前記実施例１と同様の構造については、同じ符号を付して、その詳細な説明は省略する。
【００３４】
この構造によると、横型ドレンキャップ１の上縁２Ｄに降り注ぐ雨水は、この前面壁２の滑らかな湾曲面に沿ってスムーズに下端側へと流下する。したがって、雨水が前面に一層伝わり易いような流れをつくり、前面に付着しようとするごみ類をうまく浮かせるように働く。したがって、雨水がこれらごみ類に流れを妨げられるおそれを一層少なくし、雨水導入孔へ一層うまく導くことができる。
【００３５】
（実施例３）
この実施例３では、外形形状は基本的に実施例１や実施例２と同じにし、図７、８に示すように、内部を空洞ではなく、樹脂のブロックとして、つまりは中実体として形作った点に特徴がある。
図７、８（図例では、実施例１の構造を示す）に示すように、このようなブロック体として構成することによって、横型ドレンキャップ１の重量を重くでき、ドレン管Ｄへの取り付け安定性を高めることができるのである。
したがって、この実施例３では、前面下端横ステー６や背面壁３、更には背面側に設けられる縦横十文字状のステー８を不要にできる。
【００３６】
この実施例３では、前記ボルト挿入穴１０は、図８に示すように、ブロック体の背面の左右中央に、上下方向で所定間隔を置いて直に設けられ、ここにボルト９が直に捻じ込まれるようにしてある。なお、このボルト挿入穴１０の強度をより高めるために、金属製のボルト挿入穴形成部材（図外）を別途埋め込んでおくこともできる。
【００３７】
なお、実施例１、２では、前記雨水導水孔５の左右両側の壁面５Ａは、前面側から背面側に向かうにしたがって順次雨水導水孔５中央側へ張り出す傾斜面に形成されている。しかし、本実施例の場合、背面側まで、この状態が続くと、前記雨水導水孔５は幅が可及的に狭まってしまい、本来の雨水導水機能が損なわれるおそれがある。したがって、この左右の側壁５Ａの傾斜は、実施例１、２と同じような寸法、つまりは前面壁２の肉厚相当寸法奥まったところで打ち切り、その後背面までは、この傾斜が打ち切られた部位の横幅を保って直線的に延長されるのが望ましい。
【００３８】
（実施例４）
この実施例４では、横型ドレンキャップ１をより一層確実、且つ安定的にドレン管Ｄに取り付けることができるようにするための前記細長部材１１の改良構造を提案するものである。
すなわち、実施例１〜３では、この細長部材１１は水平方向の一本を採用する構造として記載しているが、この実施例４では、図９、１０に示すように、２本を用いる。しかもこの２本を十文字状にして横型ドレンキャップ１の背面に取り付けるものである。
このように、細長部材１１を２本を用い、しかもこの２本を十文字状にして、それぞれの両端をこのドレン管Ｄの左右並びに上下の内側面Ｄ３に当接させることで、横型ドレンキャップ１のドレン管Ｄへの取り付け強度をより一層確実にしかも安定的に保つことができるのである。
【００３９】
そこで、以上の効果をうまく発揮させるには、２本の細長部材１１を安定的に十文字状に保持する必要がある。この実施例は、この保持のための構造を簡単なものとして提案する。
具体的には、図９、１０に示すように、片方の細長部材（図例では前面壁２側に位置する細長部材で水平方向に配される）１１Ａの長さ方向中間部に、他方の細長部材（図例では背面壁３側に位置する細長部材で鉛直方向に配される）１１Ｂの横幅寸法に相当する範囲で、且つその肉厚寸法に相当する深さの凹部１２を一体に形成したものである。
この構造によれば、単に一方の細長部材１１Ａに凹部１２を設けるだけで、ここに嵌め込まれる他方の細長部材１１Ｂはこの凹部１２によって左右方向の回動が完全にブロックされることになり、両細長部材１１Ａ、１１Ｂの十文字状の取り付け姿勢が確実に保たれるのである。
【００４０】
なお、図中１４は、両細長部材１１Ａ、１１Ｂの重合部分に設けられた夫々のボルト挿通孔である。
【００４１】
したがって、先ず、片方の細長部材１１Ａの凹部１２に他方の細長部材１１Ｂをはめ込む。こうすることによって、二本の細長部材１１Ａ、１１Ｂは十文字に組みつけられる。この十文字は凹部１２の存在によって容易には解離され難く、確実にその十文字姿勢が保たれる。次いで、ボルト９をこの両細長部材１１の中間に設けられたボルト挿通孔１４に通し、更にこのボルト９の先端を前記ステー８の縦ステー８Ａに設けたボルト挿通穴１０に挿通する。縦ステー８Ａの前面側に突出したボルト９の頭にナット１３を螺合させ、このボルト９とナット１３を介して、この細長部材１１をこの縦ステー８Ａに取り付ける。次いで、図１０に示すように、この細長部材１１の、両部材１１Ａ、１１Ｂの夫々の端間の間隔がドレン管Ｄの内幅よりも狭くなるようにしながらがドレン管Ｄの内側面Ｄ３とほぼ平行になるように撓ませて、ドレン管Ｄ内へ挿入し、横型ドレンキャップ１の前面壁２の下端２Ｅ並びに背面壁３（縦ステー８）の下端８Ａ１をベースプレートＤ２の上面に当接させるとともに、背面壁３を縦向きフランジＤ１に当接させる。両細長部材１１Ａ、１１Ｂは弾力性があるため、ドレン管Ｄ内で広がり、両端側は、ドレン管Ｄの左右の内側面Ｄ３に当接するために、横型ドレンキャップ１はドレン管Ｄの先端により一層確実、かつ安定的に保持され、多少の外力が負荷されても簡単にドレン管Ｄから離脱するおそれを可及的に少なくできる点で有利である。特に、十文字姿勢は凹部１２の存在によって容易には解離され難く、確実にその十文字姿勢が保たれるために、ドレン管Ｄに挿入したときに、その両細長部材１１Ａ、１１Ｂの弾性力を上下左右でうまくバランスさせることができ、前記の利点を一層理想的に達成できる。
【００４２】
（実施例５）
この実施例５では、横型ドレンキャップ１の更に別の実施例を示す。
先の各実施例と異なる点は、上面壁４が水平である点と、横型ドレンキャップ１そのものがボックス型、つまりは縦そして横夫々の断面形状が共に矩形形状を呈するように形成されている点である。したがって、この実施例に示される横型ドレンキャップ１は、前面壁２は、左右両端２Ａ中央側２Ｂと同じ位置に張り出して存在し、しかも左右両側壁１５を備えると共に、これら左右両側面壁１５にも前面壁２に設けられるのと同様の雨水導水孔５が設けられる。
【００４３】
なお、先の各実施例と同様の部位や構成については同様の符号を付して、その構造の詳細な説明は省略する。また、図例では所謂内部空洞の箱型に形成されているが、図７、８に示した実施例３のように、内部を空洞ではなく、樹脂のブロックとして、つまりは中実体として形作ることもできる。
【００４４】
このように構成された実施例５の横型ドレンキャップ１は、前記各実施例と同様のやり方でドレン管Ｄに設置される。そして水平な断面が、実質的に矩形形状になるので、その自立可能性が格段に高まり、安定した設置が可能になる。
【図面の簡単な説明】
【００４５】
【図１】本発明に係る横型ドレンキャップの第１の実施例を示し、前面側から見た全体斜視図である。
【図２】図１に示す横型ドレンキャップの背面側から見た全体斜視図である。
【図３】図１中のＡ−Ａ断面図である。
【図４】図３中のＢ−Ｂ断面図である。
【図５】図１に示す横型ドレンキャップの使用状態の説明側面図である。
【図６】本発明に係る横型ドレンキャップの第２の実施例を示し、前面側から見た全体斜視図である。
【図７】本発明に係る横型ドレンキャップの第３の実施例を示し、前面側から見た全体斜視図である。
【図８】図７中のＡーＡ断面図である。
【図９】本発明に係る横型ドレンキャップの第４の実施例を示し、背面側から見た要部の一部切り欠き斜視図である。
【図１０】図９の使用状態の説明側面図である。
【図１１】本発明に係る横型ドレンキャップの第５の実施例を示し、前面側から見た全体斜視図である。
【符号の説明】
【００４６】
１…横型ドレンキャップ
２…前面壁
２Ａ…左右両端
２Ｂ…中央側
２Ｃ…上部側
２Ｄ…上縁
２Ｅ…下端
３…背面壁
４…上面壁
５…雨水導水孔
６…前面下部ステー
７…支柱部分
８…ステー
８Ａ…縦ステー
８Ａ１…下端
８Ｂ…横ステー
９…ボルト
１０…ボルト挿通穴
１１…細長部材
１２…凹部
１３…ナット
１４…ボルト挿通孔
１５…左右側壁
Ｄ…ドレン管
Ｄ１…縦フランジ
Ｄ３…内側面
【図１】
2007077569.tif 000003
【図２】
2007077569.tif 000004
【図３】
2007077569.tif 000005
【図４】
2007077569.tif 000006
【図５】
2007077569.tif 000007
【図６】
2007077569.tif 000008
【図７】
2007077569.tif 000009
【図８】
2007077569.tif 000010
【図９】
2007077569.tif 000011
【図１０】
2007077569.tif 000012
【図１１】
2007077569.tif 000013